(57)【特許請求の範囲】
【請求項１】
操作キーを有する操作手段と、
短縮コードに対応付けられた電子メールアドレスを記憶するアドレステーブル記憶手段と、
短縮コードに対応付けられた電話番号を記憶する電話番号テーブル記憶手段と、
電話番号かあるいは短縮コードかどうかを、入力されたコードの桁数によって判断するコード判断手段と、
前記操作手段によってコードが入力されたとき、前記コード判断手段が、該コードが電話番号であると判断した場合には該コードを電話番号としてダイヤル発信し、該コードが短縮コードであると判断した場合であって、現在の通信モードが所定の第１のキーの押し下げによる通話モードのときには当該短縮コードに対応して前記電話番号テーブル記憶手段に記憶されている電話番号をダイヤル発信する一方、現在の通信モードが所定の第２のキーの押し下げによる電子メール送信モードのときには新文書を作成する電子メール処理モードに移行するように制御する制御手段とを有することを特徴とする通信装置。
【発明の詳細な説明】
【０００１】
【発明の属する技術分野】
本発明は、電子メール送信を簡便な手順で素早く行うことができる通信装置に関する。
【０００２】
【従来の技術】
図６は、従来の携帯型電話機６の外観を示すもので、携帯型電話機６は、テンキー６１１と操作キー群６１２とを備え、操作キー群６１２は、ダイヤル発信／電子メール送信キー６１２１、カーソルキー６１２２、実行キー６１２３、電源キー６１２４とが含まれる。携帯型電話機６は、電源オン時にはダイヤル発信モード（通話モード）となっている。ダイヤル発信／電子メール送信キー６１２１を押下することにより、電話番号を無線通信回線を介して相手先に送信し、あるいは電子メール文書を無線通信回線を介して指定した電子メールアドレスに送信することができる。
【０００３】
携帯型電話機６は液晶のディスプレイ６２を有し、このディスプレイに電話機本体に内蔵された電話帳テーブルに記憶された電話番号を適宜呼び出して表示し、あるいは内蔵の簡易エディタを起動してディスプレイ６２において編集等をすることができる。
【０００４】
携帯型電話機６の動作を図７および図８のフローチャートにより説明する。まず、コード（数字列または文字列）がテンキー６１１から入力されると、携帯型電話機６の図示しない制御部は、入力されたコードを取得し（Ｓ６０１）、当該コードが電話番号であるか短縮コードまたは検索キーであるかをチェックする（Ｓ６０２）。制御部は、取得したコードが電話番号であるときは、当該電話番号と同一の電話番号が電話帳テーブルに登録されているか否かをチェックし（Ｓ６０３）、同一電話番号が電話帳テーブルに登録されているときは、後述するステップ６０９に処理を渡す。
【０００５】
ステップ６０３において、同一電話番号が電話帳テーブルに登録されているときは、制御部は、ディスプレイ６２に、名前および電話番号を表示し（Ｓ６０４）、ダイヤル発信／電子メール送信キー６１２１が押されるのを待つ（Ｓ６０５）。そして、ダイヤル発信／電子メール送信キー６１２１が押されたときは、ダイヤル発信を行い、通話が終了したときに（Ｓ６０６）処理を終了する（図７の「エンド」：すなわち、状態を電源オン時に戻す）。
【０００６】
ステップＳ６０２において、ユーザにより入力されたコードが短縮コードまたは検索キーであるときは、図８に示すように、短縮コードまたは検索キーが電話帳テーブルに登録されているか否かをチェックし（Ｓ６０８）、登録されていないときは処理を終了する（図７０の「エンド」）。ステップＳ６０８において、短縮コードまたは検索キーが電話帳テーブルに登録されている場合には、電子メールアドレスが短縮コードまたは検索キーとともに登録されているかをチェックする（Ｓ６０９）。電子メールアドレスが電話帳テーブルに登録されていないときは、ステップＳ６０４（図７参照）に処理を渡し、電子メールアドレスが電話帳テーブルに登録されているときは、氏名，電話番号とともに、たとえば「電子メールアドレスあり」をディスプレイ６２に表示する（Ｓ６１０）。
【０００７】
ついで、メール送信が選択されたか、ダイヤル発信が選択されたか（ダイヤル発信／電子メール送信キー６１２１が押されたか）をチェックし（Ｓ６１１）、ダイヤル発信／電子メール送信キー６１２１が押されたときは、前述したステップＳ６０６（図７参照）に処理を渡し、ダイヤル発信を行う。ステップＳ６１１において、メール選択がなされたときは、電子メール選択画面または電子メール作成画面をディスプレイ６２に表示し、電子メール選択、電子メール作成がなされた否かをチェックする（Ｓ６１２）。電子メール選択は、予め作成されている電子メールを、当該電子メールに付された文書番号を、リストの中から指定することにより行われ、電子メール作成は、制御部が簡易エディタを起動することにより行われる。
【０００８】
電子メール選択または電子メール作成が行われると、制御部は、ダイヤル発信／電子メール送信キー６１２１が押されるのを待って（Ｓ６１４）、電子メールの送信を行い（Ｓ６１５）、処理を終了する（図８の「エンド」参照）。
【０００９】
【発明が解決しようとする課題】
しかし、図６に示した携帯型電話機６において、電子メール送信では、短縮コードをキー入力したときには、直接電子メールアドレスが表示されない。すなわち、電子メールを送信する場合には、電話番号を表示した後に、電子メールアドレスを指定しなければならず、ユーザの操作回数が多くなるといった問題がある。
【００１０】
本発明は、少ない操作回数で電子メールを素早く送信することができるデータ通信装置を提供することを目的とする。
【００１１】
【課題を解決するための手段】
請求項１に記載の通信装置は、操作キーを有する操作手段と、短縮コードに対応付けられた電子メールアドレスを記憶するアドレステーブル記憶手段と、短縮コードに対応付けられた電話番号を記憶する電話番号テーブル記憶手段と、電話番号かあるいは短縮コードかどうかを、入力されたコードの桁数によって判断するコード判断手段と、前記操作手段によってコードが入力されたとき、前記コード判断手段が、該コードが電話番号であると判断した場合には該コードを電話番号としてダイヤル発信し、該コードが短縮コードであると判断した場合であって、現在の通信モードが所定の第１のキーの押し下げによる通話モードのときには当該短縮コードに対応して前記電話番号テーブル記憶手段に記憶されている電話番号をダイヤル発信する一方、現在の通信モードが所定の第２のキーの押し下げによる電子メール送信モードのときには新文書を作成する電子メール処理モードに移行するように制御する制御手段とを有することを特徴とする。
【００１６】
【発明の実施の形態】
図１は、本発明の携帯型電話機のブロック図である。図１において、携帯型電話機１は、操作部１１と、表示部１２と、制御部１３と、記憶部１４と、通信部１５とを備えている。
【００１７】
操作部１１は、図２の携帯型電話機の外観図に示すように、テンキー１１１と、操作キー群１１２とを備えている。テンキー１１１は、「０」〜「９」，「＊」，「♯」の１２個のキーからなり、操作キー群１１２は、ダイヤル発信／電子メール送信キー１１２１、カーソルキー（シーソーキー）１１２２、実行キー１１２３、電源キー１１２４、モード変更キー１１２５を備えている。本実施形態では、モード変更キー１１２５は、通話モードから電子メール送信モードへの変更や、電子メール送信モードから通話モードへの変更を行うことができる。
なお、各種の機能選択は、たとえばシーソーキー１１２２等の操作により行うこともできるが、本実施形態では機能選択についての説明は省略する。
【００１８】
デフォルト（電源オン時）ではダイヤル発信モードとなっており、電子メール送信は、後述するように、モード変更キー１１２５を押すことにより行うことができる。
【００１９】
ダイヤル発信に際しては、ダイヤル発信／電子メール送信キー１１２１を押下することにより、電話番号を通信部１５から無線通信回線を介して相手先に送信することができる。
【００２０】
また、電子メール送信に際しては、ダイヤル発信／電子メール送信キー１１２１を押することにより、電子メール文書を通信部１５から無線通信回線を介して相手方の電子メールアドレスに送信することができる。
【００２１】
制御部１３は、ＣＰＵ１３１、図示しない時計等を備えている。また、記憶部１４は、プログラムドＲＯＭ１４１と、不揮発性ＲＡＭ１４２と、ワークＲＡＭ１４３とを備えている。プログラムドＲＯＭ１４１には、電話番号登録プログラムｐｒｇ＿０１、電子メールアドレス登録プログラムｐｒｇ＿０２、短縮ダイヤルプログラムｐｒｇ＿０３、電子メール選択プログラムｐｒｇ＿０４、電子メール作成用プログラムｐｒｇ＿０５等が格納されている。不揮発性ＲＡＭ１４２には、図３（Ａ）に示すような電話帳テーブルＴＢＬが確保されており、各レコードは、名前フィールド、電話番号フィールド、短縮番号フィールド、電子メールアドレスフィールドからなる。また、電子メール文書は、不揮発性ＲＡＭ１４２に蓄積される。図３（Ｂ）に不揮発性ＲＡＭ１４２に蓄積された電子メール文書を例示する。
【００２２】
携帯型電話機１の動作を図４および図５のフローチャートにより説明する。
まず、ユーザは、予め、メール作成用プログラムｐｒｇ＿０５を用いて電子メール文書を作成してあるものとする。たとえば、この文書リストをＤ＿００，Ｄ＿０１，・・・，Ｄ＿９９とし（図３（Ｂ）参照）、これらは、電子メール送信モードにおいては、テンキー１１１から「ｘｙ」（ｘ＝０〜９，ｙ＝０〜９）を入力することにより指定できるものとする。
【００２３】
通常状態（電源オン時のデフォルト状態）から、コード（通常は、数字列）がテンキー１１１から入力され、実行キー１１２３が押されると、制御部１３は入力されたコードを取得し（Ｓ１０１）、当該コードが電話番号であるか短縮コードであるかをチェックする（Ｓ１０２）。
【００２４】
たとえば、制御部１３は、入力コードが７桁以上である場合には、電話番号と判断することができる。また、短縮コードが００〜９９までの２桁の数字で表されるとすると、入力コードが２桁である場合には、当該コードは短縮コードである。
【００２５】
ステップＳ１０２において、入力された短縮コードが電話番号であるとされる場合には、通信部１５によりダイヤル発信して相手側に接続し（Ｓ１０５）、通話が終了したときは（Ｓ１０６）処理を終了する（「エンド」）。
【００２６】
一方、ステップＳ１０２において、入力されたコードが短縮コードである場合、モード変更キー１１２５，ダイヤル発信／メール送信キー１１２１のどちらが押されたかを判断し（１０３）、ダイヤル発信／メール送信キー１１２１が押されたときは、短縮コードに対応する電話番号が電話帳テーブルＴＢＬに登録されているか否かをチェックし（Ｓ１０４）、短縮コードに対応する電話番号が電話帳テーブルＴＢＬに登録されていないときは、処理を終了する（「エンド」）。
【００２７】
ステップＳ１０４で、短縮コードに対応する電話番号が電話帳テーブルＴＢＬに登録されているときは、ダイヤル発信して相手側に接続し（Ｓ１０５）、通話が終了したときは（Ｓ１０６）処理を終了する（「エンド」）。
【００２８】
上記のステップＳ１０３で、モード変更キー１１２５が押されたときは、短縮番号に対応するメールアドレスが電話帳テーブルＴＢＬに登録されているか否かをチェックし（Ｓ１０７）、登録されていないとき（たとえば、図３（Ａ）の短縮番号「０１」のレコードがこの場合にあたる）は処理を終了する（「エンド」）。
【００２９】
ステップＳ１０７で、短縮コードに対応する電子メールアドレスが電話帳テーブルＴＢＬに登録されているときは、制御部１３は電子メール選択プログラムｐｒｇ＿０４を起動して、メール選択リストを表示部１２に表示する（Ｓ１０８）。この場合のリストの表示順は、前回の電子メール送信において送信した電子メール文書が第１番目に表示されるようにできる。
【００３０】
そして、電子メール文書の選択が行われたとき（Ｓ１０９）は、当該メール文書を送信する（Ｓ１１０）。
たとえば、短縮番号が、「００」であり、電子メール文書がＤ＿０２のときには、「００＊０２」が表示部１２に表示されるようにできる。
【００３１】
【発明の効果】
本発明では、電子メール送信を簡便な手順で素早く行うことができる。すなわち、本発明の通信装置は、短縮コードが入力され、直後に所定のキーが押され、かつメール文書が送信されたときは、当該短縮コードに対応する電子メールアドレスへのメール送信が可能となり、少ない操作回数での電子メール送信を行うことができるようになる。
【図面の簡単な説明】
【図１】本発明の携帯型電話機のブロック図を示す図である。
【図２】本発明における携帯型電話機の外観図である。
【図３】（Ａ）は電話帳テーブルを例示する図、（Ｂ）は不揮発性ＲＡＭに蓄積された電子メール文書を例示する図である。
【図４】図１および図２に示した携帯型電話機の動作を示すフローチャートの一部を示す図である。
【図５】図１および図２に示した携帯型電話機の動作を示すフローチャートの残り部分を示す図である。
【図６】従来の携帯型電話機の外観図である。
【図７】図６に示した携帯型電話機の動作を示すフローチャートの一部を示す図である。
【図８】図６に示した携帯型電話機の動作を示すフローチャートの残り部分を示す図である。
【符号の説明】
１  携帯型電話機
１１  操作部
１２  表示部
１３  制御部
１４  記憶部
１５  通信部
１１１  テンキー
１１２  操作キー群
１３１  ＣＰＵ
１４１  プログラムドＲＯＭ
１４２  不揮発性ＲＡＭ
１４３  ワークＲＡＭ
１１２１  ダイヤル発信／電子メール送信キー
１１２２  カーソルキー（シーソーキー）
１１２３  実行キー
１１２４  電源キー
１１２５  モード変更キー
【図１】
0003720303.tif 000002
【図２】
0003720303.tif 000003
【図３】
0003720303.tif 000004
【図４】
0003720303.tif 000005
【図５】
0003720303.tif 000006
【図６】
0003720303.tif 000007
【図７】
0003720303.tif 000008
【図８】
0003720303.tif 000009